(57)【要約】【課題】印刷出力物を貯留するための構成を印刷出力装置に新たに設けることを要さずに、ユーザの待ち時間を低減しつつ印刷出力物の他人による持ち去りを抑制することが可能な技術を提供する。【解決手段】印刷出力装置１０の後処理機３０の内部には、当該印刷出力装置１０の印刷出力部によって出力された印刷出力物を排紙トレイ３１へと排出する前に当該印刷出力物を後処理（たとえばステープル処理）の対象物として貯留しておく貯留部３５が設けられている。印刷制御装置５０は、印刷ジョブ（印刷出力装置１０においてジョブデータの受信に応答して開始されるジョブ）の当該ジョブデータを印刷出力装置１０に送信する際に、当該印刷出力物が当該貯留部３５に貯留された状態で当該印刷ジョブを停止させる特定の設定内容を自動的に設定する。【選択図】図４
2020101971.tif 000002
【特許請求の範囲】
【請求項１】
印刷出力装置を制御する印刷制御装置に内蔵されたコンピュータに、
ａ）印刷ジョブの設定内容を設定する設定操作をユーザから受け付けるステップと、
ｂ）後処理機を有する前記印刷出力装置に前記印刷ジョブのジョブデータを送信する際に、前記設定内容に加えて特定の設定内容を自動的に設定するステップと、
を実行させるためのプログラムであって、
前記印刷ジョブは、前記印刷出力装置において前記ジョブデータの受信に応答して開始されるジョブであり、
前記後処理機は、前記印刷出力装置の印刷出力部によって出力された印刷出力物に対して後処理を施す装置であり、
前記後処理機の内部には、前記印刷出力物を排紙トレイへと排出する前に前記印刷出力物を前記後処理の対象物として貯留しておく貯留部、が設けられており、
前記特定の設定内容は、前記印刷出力物が前記貯留部に貯留された状態で前記印刷ジョブを停止させる設定内容を有することを特徴とするプログラム。
【請求項２】
請求項１に記載のプログラムにおいて、
前記特定の設定内容は、前記印刷出力物に追加用紙を挿入する用紙挿入処理を実行すべき旨を示す第１の設定内容と、前記用紙挿入処理に関する詳細設定内容であって前記用紙挿入処理を一時停止させるための第２の設定内容とを有することを特徴とするプログラム。
【請求項３】
請求項２に記載のプログラムにおいて、
前記第２の設定内容は、前記用紙挿入処理の正常終了を阻害する設定内容を有することを特徴とするプログラム。
【請求項４】
請求項３に記載のプログラムにおいて、
ｃ）前記ステップｂ）に先立って、前記印刷出力装置の装置状態に関する装置状態情報を前記印刷出力装置から取得するステップ、
を前記コンピュータにさらに実行させ、
前記ステップｂ）においては、前記装置状態情報に基づいて、前記特定の設定内容が自動的に設定されることを特徴とするプログラム。
【請求項５】
請求項４に記載のプログラムにおいて、
前記装置状態情報は、前記印刷出力装置の給紙トレイの現在の状態を示すトレイ状態情報を有し、
前記第２の設定内容は、前記給紙トレイの前記現在の状態に合致しない設定内容を有することを特徴とするプログラム。
【請求項６】
請求項５に記載のプログラムにおいて、
前記トレイ状態情報は、前記給紙トレイに配置されている出力用紙の用紙サイズを示す情報を有し、
前記第２の設定内容は、前記出力用紙の前記用紙サイズとは異なる用紙サイズを前記追加用紙の用紙サイズとして指定する設定内容を有することを特徴とするプログラム。
【請求項７】
請求項５に記載のプログラムにおいて、
前記トレイ状態情報は、前記給紙トレイに配置されている出力用紙の用紙種類を示す情報を有し、
前記第２の設定内容は、前記出力用紙の用紙種類とは異なる用紙種類を前記追加用紙の用紙種類として指定する設定内容を有することを特徴とするプログラム。
【請求項８】
請求項２に記載のプログラムにおいて、
前記第２の設定内容は、前記追加用紙を給紙する給紙トレイとして前記印刷出力装置の手差しトレイを指定する設定内容を有することを特徴とするプログラム。
【請求項９】
請求項８に記載のプログラムにおいて、
ｃ）前記ステップｂ）に先立って、前記印刷出力装置における前記手差しトレイの有無を示す手差しトレイ有無情報を前記印刷出力装置から取得するステップ、
を前記コンピュータにさらに実行させ、
前記ステップｂ）においては、前記印刷出力装置が前記手差しトレイを有する旨が前記手差しトレイ有無情報に基づいて判定される場合に、前記手差しトレイを前記給紙トレイとして指定する前記第２の設定内容が自動的に設定されることを特徴とするプログラム。
【請求項１０】
請求項２から請求項９のいずれかに記載のプログラムにおいて、
前記印刷出力装置においては、前記後処理機によって前記後処理が実行される場合に、前記印刷出力部によって出力された前記印刷出力物が前記貯留部へと搬送され、
前記特定の設定内容は、前記後処理を実行すべき旨を示す第３の設定内容をさらに有することを特徴とするプログラム。
【請求項１１】
印刷出力装置を制御する印刷制御装置の制御方法であって、
ａ）印刷ジョブの設定内容を設定する設定操作をユーザから受け付けるステップと、
ｂ）後処理機を有する印刷出力装置に前記印刷ジョブのジョブデータを送信する際に、前記設定内容に加えて特定の設定内容を自動的に設定するステップと、
を有し、
前記印刷ジョブは、前記印刷出力装置において前記ジョブデータの受信に応答して開始されるジョブであり、
前記後処理機は、前記印刷出力装置の印刷出力部によって出力された印刷出力物に対して後処理を施す装置であり、
前記後処理機の内部には、前記印刷出力物を排紙トレイへと排出する前に前記印刷出力物を前記後処理の対象物として貯留しておく貯留部、が設けられており、
前記特定の設定内容は、前記印刷出力物が前記貯留部に貯留された状態で前記印刷ジョブを停止させる設定内容を有することを特徴とする制御方法。
【請求項１２】
請求項１１に記載の制御方法において、
前記特定の設定内容は、前記印刷出力物に追加用紙を挿入する用紙挿入処理を実行すべき旨を示す第１の設定内容と、前記用紙挿入処理に関する詳細設定内容であって前記用紙挿入処理を一時停止させるための第２の設定内容とを有することを特徴とする制御方法。
【請求項１３】
請求項１２に記載の制御方法において、
前記第２の設定内容は、前記用紙挿入処理の正常終了を阻害する設定内容を有することを特徴とする制御方法。
【請求項１４】
請求項１３に記載の制御方法において、
ｃ）前記ステップｂ）に先立って、前記印刷出力装置の装置状態に関する装置状態情報を前記印刷出力装置から取得するステップ、
をさらに有し、
前記ステップｂ）においては、前記装置状態情報に基づいて、前記特定の設定内容が自動的に設定されることを特徴とする制御方法。
【請求項１５】
請求項１４に記載の制御方法において、
前記装置状態情報は、前記印刷出力装置の給紙トレイの現在の状態を示すトレイ状態情報を有し、
前記第２の設定内容は、前記給紙トレイの前記現在の状態に合致しない設定内容を有することを特徴とする制御方法。
【請求項１６】
請求項１５に記載の制御方法において、
前記トレイ状態情報は、前記給紙トレイに配置されている出力用紙の用紙サイズを示す情報を有し、
前記第２の設定内容は、前記出力用紙の前記用紙サイズとは異なる用紙サイズを前記追加用紙の用紙サイズとして指定する設定内容を有することを特徴とする制御方法。
【請求項１７】
請求項１５に記載の制御方法において、
前記トレイ状態情報は、前記給紙トレイに配置されている出力用紙の用紙種類を示す情報を有し、
前記第２の設定内容は、前記出力用紙の用紙種類とは異なる用紙種類を前記追加用紙の用紙種類として指定する設定内容を有することを特徴とする制御方法。
【請求項１８】
請求項１２に記載の制御方法において、
前記第２の設定内容は、前記追加用紙を給紙する給紙トレイとして前記印刷出力装置の手差しトレイを指定する設定内容を有することを特徴とする制御方法。
【請求項１９】
請求項１８に記載の制御方法において、
ｃ）前記ステップｂ）に先立って、前記印刷出力装置における前記手差しトレイの有無を示す手差しトレイ有無情報を前記印刷出力装置から取得するステップ、
をさらに有し、
前記ステップｂ）においては、前記印刷出力装置が前記手差しトレイを有する旨が前記手差しトレイ有無情報に基づいて判定される場合に、前記手差しトレイを前記給紙トレイとして指定する前記第２の設定内容が自動的に設定されることを特徴とする制御方法。
【請求項２０】
請求項１２から請求項１９のいずれかに記載の制御方法において、
前記印刷出力装置においては、前記後処理機によって前記後処理が実行される場合に、前記印刷出力部によって出力された前記印刷出力物が前記貯留部へと搬送され、
前記特定の設定内容は、前記後処理を実行すべき旨を示す第３の設定内容をさらに有することを特徴とする制御方法。
【発明の詳細な説明】
【技術分野】
【０００１】
本発明は、印刷出力装置を制御する印刷制御装置およびそれに関連する技術に関する。
【背景技術】
【０００２】
印刷制御装置（コンピュータ等）から受信された印刷ジョブデータに基づいて、直ちに印刷出力装置に印刷出力を実行させるのではなく、ユーザが印刷制御装置の存在位置から印刷出力装置の存在位置に移動した後に印刷出力させる技術が存在する。たとえば、ユーザが印刷制御装置の存在位置から印刷出力装置の存在位置に移動して印刷出力装置におけるログイン処理（認証処理）を経た後に、印刷制御装置からの印刷ジョブデータに基づく印刷出力を実行させる技術が存在する。
【０００３】
このような技術は、認証プリント技術などとも称される。当該技術によれば、ユーザが印刷制御装置の存在位置から印刷出力装置の存在位置に移動した後に当該印刷出力装置によって印刷出力が行われるので、印刷出力装置の排紙トレイに排出された印刷出力物（暫く放置されていた印刷出力物）を他人が（誤って）持ち去ってしまうこと等を防止することが可能である。
【０００４】
ただし、当該認証プリント技術等においては、ユーザは、印刷ジョブの開始から終了（当該印刷ジョブに係る全ての印刷出力物の排出完了）まで印刷出力装置の存在位置で待機しなければならず、当該ユーザの待ち時間が長大化する。
【０００５】
特許文献１には、このような問題を解消するための技術が示されている。
【０００６】
具体的には、特許文献１に記載の技術では、印刷制御装置は、識別コードを有する印刷データを印刷出力装置に送信する。印刷出力装置は、当該印刷データの受信に応答して、当該印刷データに基づく印刷出力を直ちに（ユーザの移動前に）開始し、印刷ジョブが完了すると、印刷出力装置に別途設けられた内部スタックに印刷出力物を一時保管（貯留）する。その後、ユーザは、印刷制御装置の存在位置から印刷出力装置の存在位置へと移動し、当該印刷出力装置において識別コード（コード番号）を入力する。ユーザによって入力された識別コードと印刷データに付与された識別コードとが一致すると、内部スタックが印刷出力物の取り出し可能状態へと遷移し、ユーザは、当該内部スタックから当該印刷出力物を取り出す。これによれば、ユーザの待ち時間を低減しつつ、印刷出力物の他人による持ち去りを防止することが可能である。
【先行技術文献】
【特許文献】
【０００７】
【特許文献１】特開２０００−１９０６００号公報
【発明の概要】
【発明が解決しようとする課題】
【０００８】
しかしながら、特許文献１に記載の技術では、印刷出力物を貯留するための内部スタック（他人による印刷出力物の持ち去りを防止するための内部スタック）を印刷出力装置に別途（新たに）設けることを要する。
【０００９】
そこで、本発明は、印刷出力物を貯留するための構成を印刷出力装置に新たに設けることを要さずに、ユーザの待ち時間を低減しつつ印刷出力物の他人による持ち去りを抑制することが可能な技術を提供することを課題とする。
【課題を解決するための手段】
【００１０】
上記課題を解決すべく、請求項１の発明は、印刷出力装置を制御する印刷制御装置に内蔵されたコンピュータに、ａ）印刷ジョブの設定内容を設定する設定操作をユーザから受け付けるステップと、ｂ）後処理機を有する前記印刷出力装置に前記印刷ジョブのジョブデータを送信する際に、前記設定内容に加えて特定の設定内容を自動的に設定するステップと、を実行させるためのプログラムであって、前記印刷ジョブは、前記印刷出力装置において前記ジョブデータの受信に応答して開始されるジョブであり、前記後処理機は、前記印刷出力装置の印刷出力部によって出力された印刷出力物に対して後処理を施す装置であり、前記後処理機の内部には、前記印刷出力物を排紙トレイへと排出する前に前記印刷出力物を前記後処理の対象物として貯留しておく貯留部、が設けられており、前記特定の設定内容は、前記印刷出力物が前記貯留部に貯留された状態で前記印刷ジョブを停止させる設定内容を有することを特徴とする。
【００１１】
請求項２の発明は、請求項１の発明に係るプログラムにおいて、前記特定の設定内容は、前記印刷出力物に追加用紙を挿入する用紙挿入処理を実行すべき旨を示す第１の設定内容と、前記用紙挿入処理に関する詳細設定内容であって前記用紙挿入処理を一時停止させるための第２の設定内容とを有することを特徴とする。
【００１２】
請求項３の発明は、請求項２の発明に係るプログラムにおいて、前記第２の設定内容は、前記用紙挿入処理の正常終了を阻害する設定内容を有することを特徴とする。
【００１３】
請求項４の発明は、請求項３の発明に係るプログラムにおいて、ｃ）前記ステップｂ）に先立って、前記印刷出力装置の装置状態に関する装置状態情報を前記印刷出力装置から取得するステップ、を前記コンピュータにさらに実行させ、前記ステップｂ）においては、前記装置状態情報に基づいて、前記特定の設定内容が自動的に設定されることを特徴とする。
【００１４】
請求項５の発明は、請求項４の発明に係るプログラムにおいて、前記装置状態情報は、前記印刷出力装置の給紙トレイの現在の状態を示すトレイ状態情報を有し、前記第２の設定内容は、前記給紙トレイの前記現在の状態に合致しない設定内容を有することを特徴とする。
【００１５】
請求項６の発明は、請求項５の発明に係るプログラムにおいて、前記トレイ状態情報は、前記給紙トレイに配置されている出力用紙の用紙サイズを示す情報を有し、前記第２の設定内容は、前記出力用紙の前記用紙サイズとは異なる用紙サイズを前記追加用紙の用紙サイズとして指定する設定内容を有することを特徴とする。
【００１６】
請求項７の発明は、請求項５の発明に係るプログラムにおいて、前記トレイ状態情報は、前記給紙トレイに配置されている出力用紙の用紙種類を示す情報を有し、前記第２の設定内容は、前記出力用紙の用紙種類とは異なる用紙種類を前記追加用紙の用紙種類として指定する設定内容を有することを特徴とする。
【００１７】
請求項８の発明は、請求項２の発明に係るプログラムにおいて、前記第２の設定内容は、前記追加用紙を給紙する給紙トレイとして前記印刷出力装置の手差しトレイを指定する設定内容を有することを特徴とする。
【００１８】
請求項９の発明は、請求項８の発明に係るプログラムにおいて、ｃ）前記ステップｂ）に先立って、前記印刷出力装置における前記手差しトレイの有無を示す手差しトレイ有無情報を前記印刷出力装置から取得するステップ、を前記コンピュータにさらに実行させ、前記ステップｂ）においては、前記印刷出力装置が前記手差しトレイを有する旨が前記手差しトレイ有無情報に基づいて判定される場合に、前記手差しトレイを前記給紙トレイとして指定する前記第２の設定内容が自動的に設定されることを特徴とする。
【００１９】
請求項１０の発明は、請求項２から請求項９のいずれかの発明に係るプログラムにおいて、前記印刷出力装置においては、前記後処理機によって前記後処理が実行される場合に、前記印刷出力部によって出力された前記印刷出力物が前記貯留部へと搬送され、前記特定の設定内容は、前記後処理を実行すべき旨を示す第３の設定内容をさらに有することを特徴とする。
【００２０】
請求項１１の発明は、印刷出力装置を制御する印刷制御装置の制御方法であって、ａ）印刷ジョブの設定内容を設定する設定操作をユーザから受け付けるステップと、ｂ）後処理機を有する印刷出力装置に前記印刷ジョブのジョブデータを送信する際に、前記設定内容に加えて特定の設定内容を自動的に設定するステップと、を有し、前記印刷ジョブは、前記印刷出力装置において前記ジョブデータの受信に応答して開始されるジョブであり、前記後処理機は、前記印刷出力装置の印刷出力部によって出力された印刷出力物に対して後処理を施す装置であり、前記後処理機の内部には、前記印刷出力物を排紙トレイへと排出する前に前記印刷出力物を前記後処理の対象物として貯留しておく貯留部、が設けられており、前記特定の設定内容は、前記印刷出力物が前記貯留部に貯留された状態で前記印刷ジョブを停止させる設定内容を有することを特徴とする。
【００２１】
請求項１２の発明は、請求項１１の発明に係る制御方法において、前記特定の設定内容は、前記印刷出力物に追加用紙を挿入する用紙挿入処理を実行すべき旨を示す第１の設定内容と、前記用紙挿入処理に関する詳細設定内容であって前記用紙挿入処理を一時停止させるための第２の設定内容とを有することを特徴とする。
【００２２】
請求項１３の発明は、請求項１２の発明に係る制御方法において、前記第２の設定内容は、前記用紙挿入処理の正常終了を阻害する設定内容を有することを特徴とする。
【００２３】
請求項１４の発明は、請求項１３の発明に係る制御方法において、ｃ）前記ステップｂ）に先立って、前記印刷出力装置の装置状態に関する装置状態情報を前記印刷出力装置から取得するステップ、をさらに有し、前記ステップｂ）においては、前記装置状態情報に基づいて、前記特定の設定内容が自動的に設定されることを特徴とする。
【００２４】
請求項１５の発明は、請求項１４の発明に係る制御方法において、前記装置状態情報は、前記印刷出力装置の給紙トレイの現在の状態を示すトレイ状態情報を有し、前記第２の設定内容は、前記給紙トレイの前記現在の状態に合致しない設定内容を有することを特徴とする。
【００２５】
請求項１６の発明は、請求項１５の発明に係る制御方法において、前記トレイ状態情報は、前記給紙トレイに配置されている出力用紙の用紙サイズを示す情報を有し、前記第２の設定内容は、前記出力用紙の前記用紙サイズとは異なる用紙サイズを前記追加用紙の用紙サイズとして指定する設定内容を有することを特徴とする。
【００２６】
請求項１７の発明は、請求項１５の発明に係る制御方法において、前記トレイ状態情報は、前記給紙トレイに配置されている出力用紙の用紙種類を示す情報を有し、前記第２の設定内容は、前記出力用紙の用紙種類とは異なる用紙種類を前記追加用紙の用紙種類として指定する設定内容を有することを特徴とする。
【００２７】
請求項１８の発明は、請求項１２の発明に係る制御方法において、前記第２の設定内容は、前記追加用紙を給紙する給紙トレイとして前記印刷出力装置の手差しトレイを指定する設定内容を有することを特徴とする。
【００２８】
請求項１９の発明は、請求項１８の発明に係る制御方法において、ｃ）前記ステップｂ）に先立って、前記印刷出力装置における前記手差しトレイの有無を示す手差しトレイ有無情報を前記印刷出力装置から取得するステップ、をさらに有し、前記ステップｂ）においては、前記印刷出力装置が前記手差しトレイを有する旨が前記手差しトレイ有無情報に基づいて判定される場合に、前記手差しトレイを前記給紙トレイとして指定する前記第２の設定内容が自動的に設定されることを特徴とする。
【００２９】
請求項２０の発明は、請求項１２から請求項１９のいずれかの発明に係る制御方法において、前記印刷出力装置においては、前記後処理機によって前記後処理が実行される場合に、前記印刷出力部によって出力された前記印刷出力物が前記貯留部へと搬送され、前記特定の設定内容は、前記後処理を実行すべき旨を示す第３の設定内容をさらに有することを特徴とする。
【発明の効果】
【００３０】
請求項１から請求項２０に記載の発明によれば、印刷出力装置において、印刷制御装置からのジョブデータの受信に応答して印刷ジョブの実行が開始される。それ故、印刷出力装置へのユーザの到着を待たずに印刷出力が開始されるので、所謂認証プリントが実行される場合と比較して、ユーザの待ち時間を低減することが可能である。また、当該ジョブデータが印刷制御装置から印刷出力装置へと送信される際に、特定の設定内容が自動的に設定される。当該特定の設定内容は、当該印刷出力装置の印刷出力部によって出力された印刷出力物が後処理機内の貯留部に貯留された状態で当該印刷ジョブを停止させる設定内容を有する。その結果、印刷出力装置において、印刷ジョブの開始後、当該特定の設定内容に基づいて、当該印刷出力物が後処理機内の貯留部に貯留された状態で当該印刷ジョブが停止する。それ故、当該印刷出力物が排紙トレイに直ちには排出されず、印刷出力物の他人による持ち去りを抑制することが可能である。さらに、印刷出力装置の後処理機内の貯留部は、当該印刷出力物を排紙トレイへと排出する前に当該印刷出力物を後処理の対象物として貯留しておくものである。印刷出力装置の後処理機がこのような貯留部を元々有する場合には、印刷出力物を貯留するための構成を当該印刷出力装置に新たに設けなくてもよい。以上のように、印刷出力物を貯留するための構成を印刷出力装置に新たに設けることを要さずに、ユーザの待ち時間を低減しつつ印刷出力物の他人による持ち去りを抑制することが可能である。
【図面の簡単な説明】
【００３１】
【図１】印刷システムの構成を示す概略図である。
【図２】印刷出力装置（ＭＦＰ）の機能ブロックを示す図である。
【図３】印刷制御装置（コンピュータ）の機能ブロックを示す図である。
【図４】印刷システムの動作（持ち去り防止印刷の実行動作）の概要を示す概念図である。
【図５】印刷制御装置の動作（印刷設定画面における持ち去り防止印刷の状態変更動作）を示すフローチャートである。
【図６】印刷設定画面（持ち去り防止印刷が選択不可状態を有する場合）を示す図である。
【図７】印刷設定画面（持ち去り防止印刷が選択可能状態を有する場合）を示す図である。
【図８】印刷制御装置の動作（追加設定内容の自動設定動作等）を示すフローチャートである。
【図９】ページ単位設定画面を示す図である。
【図１０】「仕上げ」タブ画面を示す図である。
【図１１】一時停止通知画面を示す図である。
【図１２】第１実施形態の改変例に係るページ単位設定画面を示す図である。
【図１３】第２の実施形態に係るページ単位設定画面を示す図である。
【図１４】手差し確認画面を示す図である。
【図１５】キャンセル指示要求画面を示す図である。
【図１６】「カバーシート／挿入紙」タブ画面を示す図である。
【発明を実施するための形態】
【００３２】
以下、本発明の実施形態を図面に基づいて説明する。
【００３３】
＜１．第１実施形態＞
＜１−１．システム構成＞
図１は、本発明に係る印刷システム１の構成を示す概略図である。図１に示すように、当該印刷システム１は、印刷出力装置１０と、当該印刷出力装置１０を制御する印刷制御装置５０とを備えて形成されている。ここでは、印刷出力装置１０としてＭＦＰ（マルチ・ファンクション・ペリフェラル（Multi-Functional Peripheral））が例示され、印刷制御装置５０として所謂パーソナルコンピュータ（単にコンピュータとも称する）が例示される。なお、これに限定されず、たとえば、印刷出力装置１０は単体プリンタなどであってもよく、印刷制御装置５０はタブレット端末あるいはスマートフォンなどであってもよい。
【００３４】
ＭＦＰ１０とコンピュータ５０とは、ネットワーク１０８を介して接続されており、ネットワーク通信を実行することが可能である。なお、ネットワーク１０８は、ＬＡＮ（Local Area Network）およびインターネットなどの各種のネットワークを含む。また、ネットワーク１０８への接続形態は、有線接続であってもよく或いは無線接続であってもよい。
【００３５】
このＭＦＰ１０は、本体部１０Ｂと、ＭＦＰ１０の印刷出力部３（図２）から出力された印刷出力物に対して後処理（仕上げ処理あるいはフィニッシング処理とも称される）を施す後処理機３０（フィニッシャーとも称される）とを有している（図１参照）。ここでは、当該印刷出力物に対してステープル処理（後処理）を施すステープル機能を有する後処理機（後処理装置）３０が例示される。ただし、これに限定されず、後処理機３０が、当該印刷出力物に対して製本処理（くるみ製本処理）を施す製本機能（くるみ製本機能）などを有していてもよい。換言すれば、後処理は、ステープル処理に限定されず、製本処理（くるみ製本処理）等であってもよい。
【００３６】
また、ここでは、ＭＦＰ１０の本体部１０Ｂと後処理機３０とが別体で構成されている。ただし、これに限定されず、ＭＦＰ１０の本体部１０Ｂと後処理機３０とが一体で構成されていてもよい。
【００３７】
＜１−２．ＭＦＰ１０の構成＞
図２は、ＭＦＰ１０の機能ブロックを示す図である。
【００３８】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９（制御部）等を備えており、これらの各部を複合的に動作させることによって、各種の機能を実現する。なお、ＭＦＰ１０は、画像処理装置、画像形成装置などとも称される。
【００３９】
画像読取部２は、ＭＦＰ１０の所定の位置に載置された原稿を光学的に読み取って（すなわちスキャンして）、当該原稿の画像データ（原稿画像データあるいはスキャンデータとも称する）を生成する処理部である。
【００４０】
印刷出力部３は、ユーザによって指定された印刷対象データに関する画像データに基づいて紙などの各種の媒体に画像を印刷出力する出力部である。当該印刷出力部３によって印刷出力された印刷出力物は、所定の搬送経路（不図示）を介して、排紙トレイ３１（図１参照）あるいは後処理機３０の貯留部３５へと搬送される。
【００４１】
通信部４は、公衆回線等を介したファクシミリ通信を行うことが可能な処理部である。さらに、通信部４は、通信ネットワーク１０８を介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１０は、所望の相手先（コンピュータ５０等）との間で各種のデータを授受することが可能である。
【００４２】
通信部４は、各種データを送信する送信部４ａと各種データ（印刷ジョブデータ等）を受信する受信部４ｂとを有する。
【００４３】
格納部５は、ハードディスクドライブ（ＨＤＤ）等の格納装置で構成される。
【００４４】
操作部６は、ＭＦＰ１０に対する操作入力を受け付ける操作入力部６ａと、各種情報の表示出力を行う表示部６ｂとを備えている。このＭＦＰ１０においては、略板状の操作パネル部６ｃ（図１参照）が設けられており、当該操作パネル部６ｃは、その正面側にタッチパネル（操作パネル）２５（図１参照）を有している。タッチパネル２５は、液晶表示パネルに圧電センサ等が埋め込まれて構成され、各種情報を表示するとともに操作者からの操作入力を受け付けることが可能である。
【００４５】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）とを備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク１０８等を介してＭＦＰ１０にインストールされてもよい。
【００４６】
具体的には、図２に示すように、コントローラ９は、当該プログラムの実行により、通信制御部１１と入力制御部１２と表示制御部１３とを含む各種の処理部を実現する。
【００４７】
通信制御部１１は、他の装置（コンピュータ５０等）との間の通信動作を制御する処理部である。
【００４８】
表示制御部１３は、表示部６ｂ（タッチパネル２５）における表示動作を制御する処理部である。
【００４９】
入力制御部１２は、操作入力部６ａに対する操作入力動作を制御する処理部である。
【００５０】
このような構成が、ＭＦＰ１０の本体部１０Ｂ側に設けられている。当該本体部１０Ｂに後処理機３０が装着された場合には、ＭＦＰ１０に後処理機能が付加される。
【００５１】
＜１−３．コンピュータ５０の構成＞
図３は、コンピュータ５０の概略構成を示す機能ブロック図である。
【００５２】
コンピュータ５０は、他の装置（ＭＦＰ１０等）との間でのネットワーク通信が可能な情報入出力端末装置（情報処理装置）である。コンピュータ５０は、ＭＦＰ１０にて実行される印刷ジョブの設定内容の設定処理を制御する設定制御装置などとも称される。
【００５３】
コンピュータ５０は、図３の機能ブロック図に示すように、通信部５４、格納部５５、操作部５６およびコントローラ（制御部）５９等を備えており、これらの各部を複合的に動作させることによって、各種の機能を実現する。
【００５４】
通信部５４は、ネットワークを介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、コンピュータ５０は、所望の相手先（ＭＦＰ１０等）との間で各種データの授受を行うことが可能である。通信部５４は、各種データを送信する送信部５４ａと各種データを受信する受信部５４ｂとを有する。
【００５５】
格納部５５は、ハードディスクドライブ（ＨＤＤ）および／または半導体メモリ等の記憶装置で構成される。
【００５６】
操作部５６は、コンピュータ５０に対する操作入力を受け付ける操作入力部５６ａと、各種情報（印刷設定画面２００（図６）等）の表示出力を行う表示部５６ｂとを備えている。
【００５７】
図３のコントローラ（制御部）５９は、コンピュータ５０に内蔵され、コンピュータ５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されてコンピュータ５０にインストールされてもよい。あるいは、当該プログラムは、ネットワーク１０８等を経由してダウンロードされてコンピュータ５０にインストールされるようにしてもよい。
【００５８】
当該コンピュータ５０には、印刷制御プログラム（たとえばプリンタドライバ）がインストールされている。
【００５９】
コントローラ５９は、当該プログラム等の実行により、通信制御部４１と入力制御部４２と表示制御部４３と設定制御部４４と判定部４５とを含む各種の処理部を実現する。
【００６０】
通信制御部４１は、通信部５４等と協働して、ＭＦＰ１０等との通信動作を制御する処理部である。たとえば、通信制御部４１は、通信部５４（詳細には送信部５４ａ）等と協働して、印刷ジョブのジョブデータ（印刷ジョブデータ）をＭＦＰ１０に送信する。また、通信制御部４１は、通信部５４（詳細には受信部５４ｂ）等と協働して、ＭＦＰ１０の装置構成情報等を受信して取得する。
【００６１】
入力制御部４２は、ユーザによる操作入力を操作入力部５６ａと協働して受け付ける動作（操作入力動作）等を制御する制御部である。たとえば、入力制御部４２は、操作入力部５６ａと協働して、印刷設定画面２００において、ユーザからの設定操作を受け付ける。
【００６２】
表示制御部４３は、表示部５６ｂ（図１）における各種情報（印刷設定画面２００等）の表示動作を制御する処理部である。
【００６３】
設定制御部（印刷制御部）４４は、印刷ジョブの設定内容（印刷ジョブに関する複数の設定項目のそれぞれの設定内容）に関する設定制御等を実行する処理部である。
【００６４】
判定部４５は、各種の判定処理を実行する処理部である。
【００６５】
＜１−４．貯留部３５について＞
ＭＦＰ１０の後処理機３０の内部には、貯留部３５（後処理機３０の外部からは見えない貯留部３５）が設けられている（図１参照）。当該貯留部３５は、ＭＦＰ１０の印刷出力部３によって出力された印刷出力物を排紙トレイ３１へと排出する前に当該印刷出力物をステープル処理（後処理）の対象物（対象用紙）として貯留しておく部材である。
【００６６】
当該貯留部３５は、ステープル処理がＭＦＰ１０（後処理機３０）によって実行される場合（ステープル処理を実行すべき旨を示す設定内容が設定された場合）に利用される。たとえば、ステープル処理を実行すべき旨を示す設定内容がユーザの設定操作によって（すなわち手動で）設定された場合、印刷出力部３からの印刷出力物は、後処理機３０内の貯留部３５へと搬送されて当該貯留部３５内に一旦貯留される。なお、ステープル処理がＭＦＰ１０によって実行されない場合には、当該貯留部３５は利用されない（印刷出力部３からの印刷出力物は、貯留部３５には貯留されずに排紙トレイ３１へと直ちに排出される）。
【００６７】
ユーザの設定操作（ステープル処理を実行すべき旨を示す設定内容を手動で設定する操作）は、たとえば「仕上げ」タブ画面２１０（図１０）を用いて行われる。そして、当該設定操作の後、ＭＦＰ１０において、当該設定内容に基づく動作が実行される。
【００６８】
図１０は、「仕上げ」タブ画面２１０を示す図である。ユーザは、当該「仕上げ」タブ画面２１０において設定項目「ステープル」の設定内容を値「オフ」から値「オン」に変更する変更操作（設定操作）を行う。当該変更操作に応答して、コンピュータ５０は、ステープル処理を実行すべき旨を示す設定内容を設定項目「ステープル処理」の設定値として設定する。その後、コンピュータ５０は、ユーザからの印刷ジョブデータの送信指示（印刷ジョブの印刷実行指示）に応答して、印刷ジョブデータをＭＦＰ１０に送信する。
【００６９】
ＭＦＰ１０は、コンピュータ５０からの印刷ジョブデータを受信すると、当該印刷ジョブデータに基づく印刷出力を実行する。具体的には、印刷ジョブに係る印刷対象データの各ページがＭＦＰ１０の印刷出力部３によって順次に印刷出力される。
【００７０】
印刷出力部３によって出力された印刷出力物は、ステープル処理を実行すべき旨を示す設定内容に基づいて、当該印刷出力部３から所定の搬送経路（不図示）を介して後処理機３０内の貯留部３５へと搬送される。そして、印刷対象データの印刷出力物が、ステープル処理の対象用紙として当該貯留部３５に貯留されていく。その後、印刷対象データの全ページの印刷出力物が貯留部３５内に貯留されると、後処理機３０は、当該印刷出力物（ステープル処理の対象用紙）に対してステープル処理を（一括して）実行する。そして、ステープル処理が施された印刷出力物は、排紙トレイ３１に排出される。
【００７１】
このように、ステープル処理を実行すべき旨を示す設定内容が設定された場合、印刷出力部３によって出力された印刷出力物は、排紙トレイ３１へと排出される前に後処理機３０内の貯留部３５に一旦貯留される。ＭＦＰ１０の後処理機３０には、このような貯留部３５が元々設けられている。
【００７２】
この実施形態では、この貯留部３５を利用することによって、印刷出力物の他人による持ち去りが防止（抑制）される。
【００７３】
具体的には、コンピュータ５０は、貯留部３５が利用される（印刷出力部３からの印刷出力物が貯留部３５に貯留される）ように、ステープル処理を実行すべき旨を示す設定内容（Ｃ３０）を自動的に設定する。さらに、コンピュータ５０は、用紙挿入処理（後述）を実行すべき旨を示す設定内容（Ｃ１０）と、当該用紙挿入処理の正常終了を阻害する設定内容（Ｃ２０）とを自動的に設定する。コンピュータ５０は、これらの設定内容をＭＦＰ１０への印刷ジョブデータの送信に際して自動的に設定することによって、ＭＦＰ１０の印刷出力部３からの印刷出力物が貯留部３５に貯留された状態で印刷ジョブを停止させる。これにより、印刷出力物の他人による持ち去りを防止（抑制）する。
【００７４】
＜１−５．動作＞
このような動作（設定内容の自動設定動作）等について、以下に説明する。
【００７５】
この印刷システム１においては、コンピュータ５０は、後処理機３０を有するＭＦＰ１０に対して印刷ジョブ（詳細には「持ち去り防止印刷ジョブ」）のジョブデータを送信する際に、追加設定内容を自動的に設定する。
【００７６】
図４は、印刷システム１における「持ち去り防止印刷ジョブ」の実行動作の概略を示す概念図である。
【００７７】
「持ち去り防止印刷ジョブ」は、ＭＦＰ１０において印刷出力された印刷出力物の他人による持ち去りを防止（抑制）する印刷ジョブである。特に、「持ち去り防止印刷ジョブ」の実行指示が付与された場合、ＭＦＰ１０において、印刷ジョブデータの受信に応答して印刷ジョブは（直ちに）開始される。換言すれば、「持ち去り防止印刷ジョブ」は、ＭＦＰ１０の操作パネルを用いた開始指示操作（ＭＦＰ１０の存在位置へのユーザの移動後の印刷出力開始指示操作）が受け付けられた後に開始されるジョブではない。「持ち去り防止印刷ジョブ」は、当該操作パネルを用いた開始指示操作が受け付けられることなく（開始指示操作を待つことなく）開始されるジョブである。「持ち去り防止印刷ジョブ」は、当該開始指示操作の後に印刷出力が開始されるジョブに比べて、ユーザの待ち時間を低減することができる。この点に関して、「持ち去り防止印刷ジョブ」は、所謂認証プリントとは異なる。
【００７８】
追加設定内容（自動追加設定内容）は、ユーザによる設定変更操作に応じて設定された設定内容（あるいはデフォルトの設定内容）に対して追加的に且つ自動的に設定される設定内容である。具体的には、当該追加設定内容は、ＭＦＰ１０の印刷出力部３によって出力された印刷出力物が後処理機３０内の貯留部３５に貯留された状態で当該印刷ジョブを停止させる設定内容である。当該追加設定内容は、「一時停止設定内容」などとも称される。
【００７９】
当該追加設定内容の自動設定の後、コンピュータ５０は、ユーザからの印刷実行指示に応答して、印刷ジョブデータをＭＦＰ１０に送信する。ＭＦＰ１０は、当該印刷ジョブデータの受信に応答して、当該印刷ジョブの実行を開始し、印刷対象データ（たとえば５ページの印刷対象データ）の印刷出力物を後処理機３０内の貯留部３５に貯留していく。
【００８０】
ただし、第５ページの印刷対象データの印刷出力物が印刷出力部３によって出力されると、ＭＦＰ１０は、当該追加設定内容に基づいて、当該印刷出力物が後処理機３０内の貯留部３５に貯留された状態で当該印刷ジョブの実行を停止する。詳細には、後述するように、当該印刷出力物に追加用紙を挿入する用紙挿入処理が当該追加設定内容に基づいて試行されるものの、当該詳細設定内容のうちの一部の設定内容Ｃ２０（後述）に起因して当該用紙挿入処理は正常終了されず、当該印刷ジョブの一時停止が実現される。そして、ユーザは、コンピュータ５０の存在位置からＭＦＰ１０の存在位置へと移動した後、当該印刷出力物（５ページの印刷対象データ全体の印刷出力物）を取得する。
【００８１】
このような動作の詳細について、以下に説明する。
【００８２】
図５は、コンピュータ５０（プリンタドライバ）の動作（印刷設定画面２００における持ち去り防止印刷の状態変更動作）を示すフローチャートである。当該図５のフローチャートは、プリンタドライバの起動操作の受付に応答して開始される。
【００８３】
まず、ステップＳ１１において、コンピュータ５０は、ＭＦＰ１０の装置構成情報を当該ＭＦＰ１０から取得する。当該装置構成情報には、ステープル機能（印刷出力物を綴じる機能）を有する後処理機３０の存否（着脱情報）を示す後処理機存否情報（後処理機着脱情報）が含まれる。
【００８４】
具体的には、コンピュータ５０は、当該装置構成情報をコンピュータ５０に送信（返信）すべき旨の送信要求（構成情報送信要求とも称される）をＭＦＰ１０に送信する。ＭＦＰ１０は、当該送信要求に応答して、自装置１０の装置構成情報を検出してコンピュータ５０に送信する。そして、コンピュータ５０は、当該装置構成情報をＭＦＰ１０から受信して取得する（ステップＳ１１）。
【００８５】
ステップＳ１２において、コンピュータ５０は、当該装置構成情報（装置構成情報に含まれる後処理機存否情報）に基づいて、ＭＦＰ１０における後処理機（ステープル機能を有する後処理機）３０の存否を判定する。
【００８６】
ＭＦＰ１０に当該後処理機３０が存在しない（ＭＦＰ１０の本体部１０Ｂに後処理機３０が装着されていない）旨がステップＳ１２において判定される場合、処理はステップＳ１２からステップＳ１５へと進む。
【００８７】
ステップＳ１５において、ＭＦＰ１０は、設定項目「出力方法（印刷出力方法）」の設定値候補（設定値の候補）「持ち去り防止印刷」を選択不可状態に変更（設定）する。具体的には、印刷設定画面２００において、設定項目「出力方法」の設定値候補「持ち去り防止印刷」が非表示化される。その結果、図６に示されるように、印刷設定画面２００においてプルダウンボタン２０１（設定項目「出力方法」の設定値候補のリスト２０２を表示させるユーザインターフェース部品）がユーザによって押下された場合、設定項目「出力方法」の設定値候補「持ち去り防止印刷」は当該リスト２０２において表示されない。なお、これに限定されず、設定項目「出力方法」の設定値候補「持ち去り防止印刷」が、選択不可状態を示す表示態様（たとえばグレーアウト表示）で当該リスト２０２において表示されてもよい。
【００８８】
一方、ＭＦＰ１０に当該後処理機３０が存在する（ＭＦＰ１０の本体部１０Ｂに後処理機３０が装着されている）旨がステップＳ１２において判定される場合、処理はステップＳ１２からステップＳ１３へと進む。
【００８９】
ステップＳ１３において、コンピュータ５０は、ＭＦＰ１０の現在の装置状態に関する装置状態情報をＭＦＰ１０から取得する。詳細には、コンピュータ５０は、ＭＦＰ１０の給紙トレイの現在の状態に関する給紙トレイ情報（給紙トレイ状態情報）を装置状態情報としてＭＦＰ１０から取得する。ここでは、ＭＦＰ１０の給紙トレイに現在配置されている出力用紙（詳細には、複数の給紙トレイのそれぞれに配置されている出力用紙）の用紙サイズを示す用紙サイズ情報が、給紙トレイ情報として取得される。
【００９０】
具体的には、コンピュータ５０は、当該用紙サイズ情報（装置状態情報）をコンピュータ５０に送信（返信）すべき旨の送信要求（状態情報送信要求とも称される）をＭＦＰ１０に送信する。ＭＦＰ１０は、当該送信要求に応答して、各種センサ等を用いて自装置１０の各給紙トレイに現在配置されている出力用紙の用紙サイズ情報を検出してコンピュータ５０に送信する。ここでは、ＭＦＰ１０内の全ての給紙トレイに「Ａ４」サイズの出力用紙がそれぞれ配置されており、ＭＦＰ１０は、用紙サイズ情報「Ａ４」をコンピュータ５０に送信する。そして、コンピュータ５０は、当該用紙サイズ情報（「Ａ４」）をＭＦＰ１０から受信して取得する（ステップＳ１３）。
【００９１】
そして、処理はステップＳ１３からステップＳ１４へと進み、コンピュータ５０は、設定項目「出力方法」の設定値「持ち去り防止印刷」を選択可能状態に変更する。具体的には、図７に示されるように、印刷設定画面２００において、プルダウンボタン２０１がユーザによって押下された場合、設定項目「出力方法」の設定値「持ち去り防止印刷」が当該リスト２０２において表示される。
【００９２】
このような動作がプリンタドライバの起動直後において実行される。
【００９３】
ここでは、ＭＦＰ１０は後処理機（ステープル機能を有する後処理機）３０を有しており（図１参照）、設定項目「出力方法」の設定値「持ち去り防止印刷」が選択可能状態に変更されることを想定する。
【００９４】
その後、印刷ジョブの設定内容を設定する設定操作をユーザから受け付けた後、印刷設定画面２００（図７）において設定項目「出力方法」の設定値「持ち去り防止印刷」の選択操作（持ち去り防止印刷を選択するための領域２０３の選択操作）がユーザによって受け付けられると、次のような動作がプリンタドライバによってさらに実行される。
【００９５】
図８は、コンピュータ５０（プリンタドライバ）の追加動作（追加設定内容の自動設定動作等）を示すフローチャートである。
【００９６】
ステップＳ２１において、コンピュータ５０は、印刷ジョブに関してユーザによって設定された設定内容に加えて、追加設定内容を自動的に設定する。追加設定内容は、ＭＦＰ１０の印刷出力部３によって出力された印刷出力物が後処理機３０内の貯留部３５に貯留された状態で当該印刷ジョブを停止させる設定内容を有する。
【００９７】
なお、以下では、説明の都合上、図９の画面２５０と図１０の画面２１０とを示しているが、実際には、追加設定内容の自動設定処理に際して画面遷移は行われず、当該自動設定処理に際してこれらの画面２１０，２５０は表示されない。当該追加設定内容の設定処理（設定制御処理）は、プリンタドライバの内部処理として実行される。
【００９８】
まず、コンピュータ５０は、印刷出力部３によって出力された印刷出力物に追加用紙を挿入する用紙挿入処理を実行すべき旨を示す設定内容Ｃ１０（図９参照）と、当該用紙挿入処理に関する詳細設定内容であって当該用紙挿入処理を一時停止させるための設定内容Ｃ２０（図９）とを自動的に設定する。
【００９９】
図９は、設定項目「ページ単位設定」（印刷対象データのページ毎に印刷設定を行うことが可能な設定項目）に関する設定画面（ページ単位設定画面）２５０を示す図である。コンピュータ５０は、設定項目「ページ単位設定」に関する設定内容Ｃ１０，Ｃ２０を新たに設定（作成）する。
【０１００】
設定内容Ｃ１０（図９参照）は、印刷出力部３によって出力された印刷出力物に（詳細には、本来の印刷対象データの最終ページ（第５ページ）の印刷出力物の次に）追加用紙（ここでは白紙）を挿入する用紙挿入処理を実行すべき旨を示す設定内容である。ユーザの設定操作によって当該設定内容Ｃ１０が設定される場合は、当該設定内容Ｃ１０は、ページ単位設定画面２５０において「追加」ボタン２５１の押下操作等によって設定される。ただし、ここでは、ページ単位設定画面２５０は表示されず、当該設定内容Ｃ１０はプリンタドライバによって自動的に設定される。
【０１０１】
当該設定内容Ｃ１０は、当該用紙挿入処理に関する複数の詳細設定項目（サブ設定項目）を有する。詳細には、設定内容Ｃ１０は、６つの詳細設定項目（「ページ番号」、「印刷種類」、「給紙トレイ」、「ステープル」、「用紙サイズ」、「用紙種類」）を有する。コンピュータ５０は、当該複数の詳細設定項目のうちの一の詳細設定項目（ここでは、詳細設定項目「用紙サイズ」）に関する設定内容Ｃ２０を自動的に設定する。
【０１０２】
設定内容Ｃ２０（図９参照）は、当該用紙挿入処理に関する詳細設定内容（サブ設定内容）である。具体的には、当該設定内容Ｃ２０は、ＭＦＰ１０における用紙挿入処理の正常終了を阻害する設定内容である。より具体的には、ＭＦＰ１０からの装置状態情報（トレイ状態情報）に基づいて、ＭＦＰ１０の給紙トレイの現在の状態に合致しない設定内容が当該設定内容Ｃ２０として設定される。ここでは、用紙サイズ情報に基づいて、用紙挿入処理に関する一の詳細設定項目「用紙サイズ（追加用紙の用紙サイズ）」の詳細設定内容Ｃ２１（Ｃ２０）が、ＭＦＰ１０の給紙トレイに現在配置されている出力用紙の用紙サイズ（給紙トレイの現在の状態）（ここでは「Ａ４」）とは異なる用紙サイズ（ここでは「Ｂ６」）に自動的に設定される。より詳細には、ＭＦＰ１０の複数の給紙トレイのそれぞれに現在配置されている用紙の用紙サイズのいずれとも異なる用紙サイズが、追加用紙の用紙サイズとして指定される。コンピュータ５０は、このような設定内容Ｃ２０（Ｃ２１）を設定することによって、ＭＦＰ１０において設定内容Ｃ１０に基づき試行される用紙挿入処理を一時停止させる。換言すれば、当該設定内容Ｃ２０は、用紙挿入処理を一時停止させるための設定内容である。
【０１０３】
このように、ＭＦＰ１０の給紙トレイに現在配置されている出力用紙の用紙サイズ（「Ａ４」）とは異なる用紙サイズ（「Ｂ６」）の追加用紙を、印刷出力部３によって出力された印刷出力物に挿入する設定内容（Ｃ１０，Ｃ２０（Ｃ２１））が、自動的に設定される。
【０１０４】
さらに、コンピュータ５０は、ステープル処理を実行すべき旨を示す設定内容Ｃ３０（図１０参照）をも自動的に設定する。
【０１０５】
図１０は、プリンタドライバの印刷設定画面における「仕上げ」タブ画面２１０を示す図である。コンピュータ５０は、当該「仕上げ」タブ画面２１０に含まれる設定項目「ステープル」の設定値を値「オフ」から値「オン」に変更し、ステープル処理を実行すべき旨を示す設定内容Ｃ３０を設定項目「ステープル処理」の設定値として自動的に設定する。なお、上述したように、追加設定内容Ｃ３０の自動設定処理に際して「仕上げ」タブ画面２１０は表示されず、当該設定内容Ｃ３０はプリンタドライバによって自動的に設定される。
【０１０６】
このような設定内容Ｃ１０，Ｃ２０（Ｃ２１），Ｃ３０が、追加設定内容として自動的に設定される（ステップＳ２１）。
【０１０７】
その後、ユーザが、印刷開始ボタン等を押下して印刷ジョブ（持ち去り防止印刷ジョブ）の実行指示を付与すると、コンピュータ５０は、当該実行指示操作を受け付ける（ステップＳ２２）とともに、印刷ジョブデータ（印刷対象データおよび設定内容データ）をＭＦＰ１０に送信する（ステップＳ２３）（図４も参照）。なお、ここでは、５ページを有する電子文書が印刷対象データ（印刷ジョブに係る本来の印刷対象データ）としてユーザによって指定されることを想定する。
【０１０８】
ＭＦＰ１０は、当該印刷ジョブデータの受信に応答して、印刷ジョブの実行を開始する（図４参照）。詳細には、印刷ジョブデータに基づく印刷出力処理（印刷出力部３による印刷出力処理）と当該印刷出力部３によって出力された印刷出力物に対するステープル処理（後処理機３０による後処理）とを含む印刷ジョブが開始される。
【０１０９】
具体的には、ＭＦＰ１０は、印刷対象データの各ページの印刷出力を印刷出力部３を用いて順次に実行する。そして、ＭＦＰ１０は、印刷ジョブに係る設定内容データに含まれる追加設定内容Ｃ３０（ステープル処理を実行すべき旨を示す設定内容）に基づいて、印刷出力部３によって出力された印刷出力物を、当該印刷出力部３から、排紙トレイ３１（図１）ではなく後処理機３０内の貯留部３５へと搬送する。換言すれば、当該印刷出力物は、ステープル処理の対象用紙として印刷出力部３から貯留部３５へと搬送される。
【０１１０】
そして、印刷対象データ（本来の印刷対象データ）の各ページの印刷出力物が貯留部３５内に貯留されていく（図４の下部参照）。
【０１１１】
その後、本来の印刷対象データの最終ページ（ここでは第５ページ）に対する印刷出力処理が印刷出力部３によって完了すると、ＭＦＰ１０は、設定内容データに含まれる追加設定内容Ｃ１０，Ｃ２０（Ｃ２１）に従って、当該最終ページの印刷出力物の後に用紙サイズ「Ｂ６」の白紙を挿入する用紙挿入処理を試行する。
【０１１２】
ただし、ここでは、ＭＦＰ１０の給紙トレイには、「Ｂ６」サイズの用紙は配置（セット）されておらず、ＭＦＰ１０は、用紙サイズ「Ｂ６」の白紙を挿入する用紙挿入処理を実行（開始）できない。すなわち、用紙挿入処理における追加用紙の用紙サイズとして用紙サイズ「Ｂ６」（ＭＦＰ１０の給紙トレイに現在配置されている用紙の用紙サイズ「Ａ４」とは異なる用紙サイズ）を指定する追加設定内容Ｃ２１（図９）によって、用紙挿入処理の正常終了が阻害される。なお、給紙トレイ内の用紙の用紙サイズ「Ａ４」と追加用紙の用紙サイズとが仮に同じである場合は、当該最終ページの印刷出力物の後に追加用紙が挿入されて、用紙挿入処理が正常終了する。
【０１１３】
用紙挿入処理の正常終了が阻害された場合、ＭＦＰ１０は、印刷ジョブを停止（一時停止）する。詳細には、印刷出力部３によって出力された印刷出力物（本来の印刷対象データの全ページの印刷出力物）が後処理機３０内の貯留部３５に貯留された状態で印刷ジョブが停止する。
【０１１４】
そして、ＭＦＰ１０は、一時停止通知画面３００（図１１）をＭＦＰ１０のタッチパネル２５に表示する。
【０１１５】
図１１は、一時停止通知画面３００を示す図である。一時停止通知画面３００は、印刷ジョブが一時停止している旨をユーザに通知する画面である。当該一時停止通知画面３００においては、たとえば、「用紙サイズ『Ｂ６』がセットされていません。『Ｂ６』の用紙をセットするか、ジョブを中止してください。」とのメッセージが表示される。
【０１１６】
また、一時停止通知画面３００においては、「ＯＫ」ボタン３０１と「キャンセル」ボタン３０２とが設けられている。「ＯＫ」ボタン３０１は、一時停止中のジョブの再開を指示するボタンである。ユーザは、当該一時停止通知画面３００において通知された用紙を給紙トレイに配置（セット）した後に当該「ＯＫ」ボタン３０１を押下することによって、一時停止中のジョブを再開させることができる。「キャンセル」ボタン３０２は、一時停止中のジョブの中止（終了）を指示するボタンである。
【０１１７】
たとえば、ユーザ（印刷ジョブの依頼元ユーザ）は、コンピュータ５０において印刷実行指示を付与した後、コンピュータ５０の存在位置からＭＦＰ１０の存在位置へと移動する。その後、当該ユーザは、当該一時停止通知画面３００（図１１）において当該「キャンセル」ボタン３０２を押下する。なお、当該押下操作に応答して、一時停止通知画面３００は非表示化される。
【０１１８】
そして、ＭＦＰ１０は、「キャンセル」ボタン３０２の押下操作（すなわち、一時停止中の印刷ジョブの中止指示）を当該ユーザから受け付け、印刷ジョブの実行を中止する。
【０１１９】
印刷ジョブの実行が途中で（印刷ジョブ全体の実行が完了する前に）中止された場合、後処理機３０内の貯留部３５に貯留されている印刷出力物（印刷ジョブの実行が中止されるまでに既に印刷出力された印刷出力物）に対する後処理は施されずに、当該印刷出力物は排紙トレイ３１（図１）に排出される。
【０１２０】
そして、ユーザは、当該排紙トレイ３１から印刷出力物（５ページの印刷対象データの全ページの印刷出力物）を受け取って当該印刷出力物を取得する。すなわち、ユーザは所望の印刷出力物を取得する。
【０１２１】
以上のように、第１実施形態においては、ＭＦＰ１０においてジョブデータの受信に応答して開始される印刷ジョブが、コンピュータ５０からＭＦＰ１０へと送信される。その結果、ＭＦＰ１０においては、印刷ジョブデータの受信に応答して印刷ジョブが開始される。したがって、ＭＦＰ１０へのユーザの到着を待たずに印刷出力が開始されるので、所謂認証プリントが実行される場合と比較して、ユーザの待ち時間を低減することが可能である。
【０１２２】
仮に認証プリントが実行される場合には、ＭＦＰ１０において、コンピュータ５０から印刷ジョブデータが受信された後、直ちに印刷ジョブが開始されるのではなく、コンピュータ５０の存在位置からＭＦＰ１０の存在位置にユーザが移動した後に印刷ジョブが開始される。それ故、ユーザは、印刷ジョブの開始から終了までＭＦＰ１０の存在位置で待機しなければならず、当該ユーザの待ち時間が長大化する。
【０１２３】
これに対して、上記第１実施形態では、ＭＦＰ１０へのユーザの到着を待つことなく、ジョブデータの受信に応答して印刷ジョブが開始されるので、ユーザは、認証プリントのように印刷ジョブの開始から終了までＭＦＰ１０の存在位置で待たされることなく、印刷出力物を取得することが可能である。
【０１２４】
また、当該ジョブデータがコンピュータ５０からＭＦＰ１０へと送信される際に、追加設定内容（Ｃ１０，Ｃ２０，Ｃ３０）が自動的に設定される。当該追加設定内容は、ＭＦＰ１０の印刷出力部３によって出力された印刷出力物が後処理機３０内の貯留部３５に貯留された状態で当該印刷ジョブを停止させる設定内容を有する。その結果、ＭＦＰ１０において、印刷ジョブの開始後、当該追加設定内容に基づいて、印刷出力部３によって出力された印刷出力物が後処理機３０内の貯留部３５に貯留された状態で当該印刷ジョブが停止する。それ故、当該印刷出力物が排紙トレイ３１に直ちには排出されず、印刷出力物の他人による持ち去りを抑制することが可能である。
【０１２５】
さらに、ＭＦＰ１０の後処理機３０内の貯留部３５は、当該印刷出力物を排紙トレイ３１へと排出する前に当該印刷出力物をステープル処理（後処理）の対象物として貯留しておくものである。ＭＦＰ１０の後処理機３０がこのような貯留部３５を元々有する場合（後処理機３０の既存の構成として当該貯留部３５が設けられている場合）には、印刷出力物を貯留するための構成を当該ＭＦＰ１０に新たに（別途）設けなくてもよい。
【０１２６】
以上のように、印刷出力物を貯留するための構成をＭＦＰ１０に新たに設けることを要さずに、ユーザの待ち時間を低減しつつ印刷出力物の他人による持ち去りを抑制することが可能である。換言すれば、ＭＦＰ１０側の構成を変更することなく、プリンタドライバ側で指令内容を変更する（設定制御処理を実行する）だけで、ユーザの待ち時間の低減と印刷出力物の他人による持ち去りの抑制とを実現することが可能である。
【０１２７】
また、上記第１実施形態では、後処理機３０の外部からは見えない貯留部３５に印刷出力物が貯留するので、印刷出力されて貯留部３５に貯留された印刷出力物が他人に見られることを防止することも可能である。
【０１２８】
さらに、上記第１実施形態では、印刷ジョブの実行が停止（一時停止）した後、一時停止通知画面３００（図１１）において「キャンセル」ボタン３０２が押下されると、当該印刷ジョブの実行が中止される。そして、貯留部３５内の印刷出力物（ユーザの所望の印刷出力物）が排紙トレイ３１に排出されてユーザによって取得される。すなわち、ユーザは、印刷ジョブに付与された識別コードと同一の識別コードを入力する入力操作等を要さず、「キャンセル」ボタン３０２を押下する押下操作だけで所望の印刷出力物を取得できる。したがって、より簡単な操作で印刷出力物を取得することが可能である。
【０１２９】
なお、上記第１実施形態では、設定項目「出力方法」の設定値候補「持ち去り防止印刷」がユーザによって選択される前（たとえばプリンタドライバの起動直後）に装置状態情報がＭＦＰ１０から取得されている（ステップＳ１３（図５））が、これに限定されない。たとえば、設定項目「出力方法」の設定値候補「持ち去り防止印刷」がユーザによって選択された後に当該装置状態情報がＭＦＰ１０から取得されてもよい。
【０１３０】
また、上記第１実施形態では、ＭＦＰ１０の給紙トレイの現在の状態に合致しない追加設定内容Ｃ２０として、当該給紙トレイに現在配置されている出力用紙の用紙サイズとは異なる用紙サイズを追加用紙の用紙サイズとして指定する設定内容Ｃ２１（図９）が設定されているが、これに限定されない。
【０１３１】
たとえば、当該給紙トレイに現在配置されている出力用紙の用紙種類（給紙トレイの状態）とは異なる用紙種類を追加用紙の用紙種類として指定する設定内容Ｃ２２（図１２）が、当該追加設定内容Ｃ２０として設定されてもよい。
【０１３２】
具体的には、ＭＦＰ１０の給紙トレイに現在配置されている出力用紙の用紙種類（たとえば「普通紙」）を示す用紙種類情報が、給紙トレイ情報（装置状態情報）として取得されてもよい（ステップＳ１３（図５））。そして、第１実施形態における追加設定内容Ｃ２１（図９）に代えて、当該給紙トレイに現在配置されている出力用紙の用紙種類（「普通紙」）とは異なる用紙種類（たとえば「厚紙」）を追加用紙の用紙種類として指定する追加設定内容Ｃ２２（図１２参照）が、自動的に設定されてもよい。なお、追加設定内容Ｃ２０（Ｃ２２）の自動設定処理に際して図１２のページ単位設定画面２５０は表示されず、当該設定内容Ｃ２２はプリンタドライバによって自動的に設定される。
【０１３３】
＜２．第２実施形態＞
第２実施形態は、第１実施形態の変形例である。以下では、第１実施形態との相違点を中心に説明する。
【０１３４】
上記第１実施形態では、ＭＦＰ１０の装置状態に関する装置状態情報に基づいて、追加設定内容（詳細には、用紙挿入処理を一時停止させるための追加設定内容Ｃ２０）の自動設定動作が実行されている（ステップＳ２１（図８））。
【０１３５】
これに対して、この第２実施形態では、ＭＦＰ１０の装置構成に関する装置構成情報に基づいて、追加設定内容（Ｃ２０）の自動設定動作が実行される。
【０１３６】
ここにおいて、手差しトレイが給紙トレイとして指定された場合、ＭＦＰ１０は、手差しトレイ内の用紙を給紙する際に、印刷ジョブを一時停止して、手差し確認画面３５０（図１４）を自装置１０のタッチパネル２５に表示する。
【０１３７】
図１４は、手差し確認画面３５０を示す図である。手差し確認画面３５０は、ユーザの所望の用紙が手差しトレイに載置されていることを当該ユーザに確認するための画面である。当該手差し確認画面３５０においては、たとえば、「手差しトレイに用紙をセットしてください。」とのメッセージが表示される。
【０１３８】
また、当該手差し確認画面３５０においては、「ＯＫ」ボタン３５１と「キャンセル」ボタン３５２とが設けられている。「ＯＫ」ボタン３５１は、ユーザの所望の用紙が手差しトレイに載置されていることをＭＦＰ１０に知らせる（通知する）ボタンである。ユーザは、当該手差し確認画面３５０を確認した後、所望の用紙を手差しトレイに載置して当該「ＯＫ」ボタン３５１を押下することによって、手差しトレイ内の用紙を用いた印刷出力処理の実行を許容する。「キャンセル」ボタン３５２は、印刷ジョブの中止を指示するボタンである。ユーザの所望の用紙が手差しトレイに載置されていないこと等によってユーザが印刷ジョブの実行を中止させたい場合、当該ユーザは、手差し確認画面３５０において当該「キャンセル」ボタン３５２を押下する。
【０１３９】
このように、手差しトレイが給紙トレイとして指定されている場合、印刷ジョブの実行に際して手差しトレイ内の用紙を給紙する直前で、印刷ジョブが一旦停止する。
【０１４０】
この第２実施形態では、コンピュータ５０は、ＭＦＰ１０のこの機能（手差しトレイの指定によって印刷ジョブを自動的に一旦停止させる機能）を利用して、印刷出力部３によって出力された印刷出力物が貯留部３５内に貯留された状態で印刷ジョブを停止させる。詳細には、コンピュータ５０は、当該機能が利用されるようにプリンタドライバからＭＦＰ１０への指令内容を変更することによって、当該印刷出力物が貯留部３５内に貯留された状態で印刷ジョブを停止させる。
【０１４１】
具体的には、コンピュータ５０は、ＭＦＰ１０に手差しトレイが設けられていることを装置構成情報に基づいて確認した上で、用紙挿入処理を一時停止させるための追加設定内容Ｃ２０を自動的に設定する。
【０１４２】
より具体的には、まず、コンピュータ５０は、ＭＦＰ１０における手差しトレイの有無（ＭＦＰ１０が手差しトレイを有するか否か）を示す手差しトレイ有無情報（装置構成情報）をＭＦＰ１０から取得する。なお、手差しトレイ有無情報は、ステップＳ１１（図５）において取得されてもよく、あるいは、ステップＳ１３において装置状態情報の代わりに取得されてもよい。
【０１４３】
そして、コンピュータ５０は、当該手差しトレイ有無情報に基づいて、ＭＦＰ１０における手差しトレイの有無を判定する。
【０１４４】
ＭＦＰ１０が手差しトレイを有する旨が判定される場合、設定項目「出力方法」の設定値「持ち去り防止印刷」が選択可能状態に変更される（図７参照）。なお、ＭＦＰ１０が手差しトレイを有しない旨が判定される場合は、設定項目「出力方法」の設定値「持ち去り防止印刷」が選択不可状態に変更される。
【０１４５】
その後、印刷設定画面２００（図７）において設定項目「出力方法」の設定値「持ち去り防止印刷」が選択されると、コンピュータ５０は、追加設定内容を自動的に設定する（ステップＳ２１（図８））。
【０１４６】
図１３は、第２実施形態に係るページ単位設定画面（設定項目「ページ単位設定」に関する設定画面）２５０を示す図である。コンピュータ５０は、当該設定項目「ページ単位設定」に関する設定内容Ｃ１０，Ｃ２０を新たに設定（作成）する。なお、追加設定内容Ｃ１０，Ｃ２０の自動設定処理に際して当該ページ単位設定画面２５０（図１３）は表示されず、当該設定内容Ｃ１０，Ｃ２０はプリンタドライバによって自動的に設定される。
【０１４７】
設定内容Ｃ１０は、印刷出力部３によって出力された印刷出力物に追加用紙（ここでは白紙）を挿入する用紙挿入処理を実行すべき旨を示す設定内容である。
【０１４８】
設定内容Ｃ２０は、当該用紙挿入処理に関する詳細設定内容（サブ設定内容）であり、当該用紙挿入処理をＭＦＰ１０において一時停止させるための設定内容である。ここでは、ＭＦＰ１０が手差しトレイを有する旨が装置構成情報（詳細には、手差しトレイ有無情報）に基づき判定されたことに基づいて、追加用紙（白紙）を給紙する給紙トレイ（追加用紙の供給用トレイ）として手差しトレイを指定する設定内容Ｃ２３（Ｃ２０）が自動的に設定される。
【０１４９】
このように、印刷出力部３によって出力された印刷出力物に、ＭＦＰ１０の手差しトレイから給紙した追加用紙を挿入する追加設定内容（Ｃ１０，Ｃ２０（Ｃ２３））が、自動的に設定される。
【０１５０】
さらに、コンピュータ５０は、ステープル処理を実行すべき旨を示す設定内容Ｃ３０（図１０）をも自動的に設定する。
【０１５１】
このような設定内容Ｃ１０，Ｃ２０（Ｃ２３），Ｃ３０が、追加設定内容として自動的に設定される（ステップＳ２１）。
【０１５２】
その後、ユーザによる実行指示操作が受け付けられて（ステップＳ２２）、印刷ジョブデータがコンピュータ５０からＭＦＰ１０へと送信される（ステップＳ２３）。
【０１５３】
そして、ＭＦＰ１０は、当該印刷ジョブデータの受信に応答して、印刷出力部３による印刷出力処理を開始する。当該印刷出力部３によって出力された印刷出力物は、追加設定内容Ｃ３０に基づいて、当該印刷出力部３から後処理機３０内の貯留部３５へと搬送される。
【０１５４】
その後、印刷ジョブに係る本来の印刷対象データ（５ページの印刷対象データの全て）の印刷出力が完了すると、ＭＦＰ１０は、追加設定内容Ｃ１０，Ｃ２３に従って、手差しトレイから追加用紙（白紙）を給紙して印刷出力物に挿入する用紙挿入処理を試行する。
【０１５５】
ただし、ここでは、当該追加設定内容Ｃ２３（図１３）において、追加用紙（白紙）の給紙トレイとして手差しトレイが指定されている。そのため、ＭＦＰ１０は、追加用紙の出力（手差しトレイからの追加用紙の給紙）に先立って、印刷ジョブを停止（一時停止）するとともに、手差し確認画面３５０（図１４）をタッチパネル２５に表示する。
【０１５６】
その後、ユーザは、コンピュータ５０の存在位置からＭＦＰ１０の存在位置へと移動した後、当該手差し確認画面３５０において「キャンセル」ボタン３５２を押下する。
【０１５７】
ＭＦＰ１０は、「キャンセル」ボタン３５２の押下操作（すなわち、一時停止中の印刷ジョブの中止指示）を当該ユーザから受け付ける。
【０１５８】
そして、ＭＦＰ１０は、印刷出力部３によって出力された印刷出力物（本来の印刷対象データの全ページの印刷出力物）が後処理機３０内の貯留部３５に貯留された状態で、印刷ジョブの実行を中止する。
【０１５９】
その結果、後処理機３０内の貯留部３５に貯留された印刷出力物（印刷ジョブの実行が中止されるまでに既に印刷出力された印刷出力物）に対する後処理は施されずに、当該印刷出力物は排紙トレイ３１に排出される。そして、ユーザは、当該排紙トレイ３１から当該印刷出力物（所望の印刷出力物）を取得する。
【０１６０】
このように、第２実施形態では、手差しトレイ有無情報（装置構成情報）に基づいて、追加設定内容（Ｃ２０）の自動設定動作が実行される。
【０１６１】
＜３．変形例等＞
以上、この発明の実施の形態について説明したが、この発明は上記説明した内容のものに限定されるものではない。
【０１６２】
＜用紙挿入処理の設定に関する改変例＞
たとえば、上記各実施形態等では、用紙挿入処理を実行すべき旨を示す追加設定内容Ｃ１０と当該用紙挿入処理を一時停止させるための追加設定内容Ｃ２０とを設定するにあたって、設定項目「ページ単位設定」が用いられているが、これに限定されず、裏カバー（裏表紙）を挿入することが可能な設定項目「裏カバー」等が用いられてもよい。
【０１６３】
ここでは、この改変例の思想が上記第１実施形態に適用される態様を例示する。
【０１６４】
具体的には、印刷設定画面２００（図７）において設定項目「出力方法」の設定値「持ち去り防止印刷」が選択されると、コンピュータ５０は、追加設定内容を自動的に設定する。
【０１６５】
図１６は、プリンタドライバの印刷設定画面における「カバーシート／挿入紙」タブ画面２２０を示す図である。コンピュータ５０は、当該「カバーシート／挿入紙」タブ画面２２０に含まれる設定項目「裏カバー」の設定値を値「オフ」から値「オン」に変更し、ＭＦＰ１０の印刷出力部３によって出力された印刷出力物に追加用紙（裏カバー）を挿入する用紙挿入処理（裏カバー挿入処理）を実行すべき旨を示す追加設定内容Ｃ１０を自動的に設定する。さらに、コンピュータ５０は、装置状態情報（ここでは用紙サイズ情報）に基づいて、ＭＦＰ１０の給紙トレイに配置されている出力用紙の用紙サイズ（ここでは「Ａ４」）とは異なる用紙サイズ（たとえば「Ｂ６」）を追加用紙（裏カバー）の用紙サイズとして指定する追加設定内容Ｃ２１（Ｃ２０）を自動的に設定する。なお、当該追加設定内容Ｃ１０，Ｃ２０の自動設定処理に際して当該「カバーシート／挿入紙」タブ画面２２０（図１６）は表示されず、当該追加設定内容Ｃ１０，Ｃ２０はプリンタドライバによって自動的に設定される。
【０１６６】
さらに、コンピュータ５０は、ステープル処理を実行すべき旨を示す追加設定内容Ｃ３０（図１０）をも自動的に設定する。
【０１６７】
このように、設定項目「裏カバー」（および設定項目「ステープル」）を用いて追加設定内容が自動的に設定されてもよい。
【０１６８】
その後の動作は、上記第１実施形態と同様である。
【０１６９】
なお、ここでは、この改変例の思想が上記第１実施形態に適用されているが、これに限定されず、当該改変例の思想が他の実施形態に適用されてもよい。
【０１７０】
たとえば、当該追加設定内容Ｃ２１に代えて、ＭＦＰ１０の給紙トレイに現在配置されている出力用紙の用紙種類（たとえば「普通紙」）とは異なる用紙種類（たとえば「厚紙」）を追加用紙（裏カバー）の用紙種類として指定する追加設定内容Ｃ２２（Ｃ２０）が自動的に設定されてもよい。
【０１７１】
あるいは、当該追加設定内容Ｃ２１に代えて、追加用紙（裏カバー）が給紙される給紙トレイとしてＭＦＰ１０の手差しトレイを指定する追加設定内容Ｃ２３（Ｃ２０）が自動的に設定されてもよい。
【０１７２】
＜キャンセル指示要求画面に関する改変例＞
また、上記各実施形態等において、印刷ジョブ（詳細には持ち去り防止印刷ジョブ）の実行指示がユーザによって付与された際に、さらに、キャンセル指示要求画面４００（図１５）がコンピュータ５０の表示部５６ｂ（プリンタドライバの表示画面）に表示されてもよい。
【０１７３】
図１５は、キャンセル指示要求画面４００を示す図である。キャンセル指示要求画面４００は、ＭＦＰ１０において開始された後に一時停止される印刷ジョブの実行をキャンセル（中止）させる中止指示の付与をユーザに要求する画面である。当該キャンセル指示要求画面４００は、コンピュータ５０の表示部５６ｂ（プリンタドライバの表示画面）に表示される。キャンセル指示要求画面４００においては、当該中止指示の付与を要求するメッセージ（たとえば、「最終ページの印刷後に一時停止通知画面がＭＦＰにて表示されますので、『キャンセル』ボタンを押して印刷出力物を受け取ってください。」）が表示される。
【０１７４】
ユーザは、印刷ジョブの実行指示を付与した後、当該キャンセル指示要求画面４００において当該メッセージを確認し、コンピュータ５０の存在位置からＭＦＰ１０の存在位置へと移動する。そして、ユーザは、ＭＦＰ１０のタッチパネル２５に表示された一時停止通知画面３００（図１１）において「キャンセル」ボタン３０２を押下する。これにより、印刷出力部３によって出力された印刷出力物（本来の印刷対象データの全ページの印刷出力物）が後処理機３０内の貯留部３５に貯留された状態で印刷ジョブが停止し、当該印刷出力物が排紙トレイ３１に排出される。
【０１７５】
このように、持ち去り防止印刷ジョブの実行指示がユーザによって付与された際に、キャンセル指示要求画面４００がコンピュータ５０において表示されてもよい。
【０１７６】
＜その他の改変例＞
また、上記各実施形態等では、ステープル処理がＭＦＰ１０（後処理機３０）によって実行される場合には、印刷出力部３からの印刷出力物が後処理機３０内の貯留部３５へと搬送されて一旦貯留される。一方、ステープル処理がＭＦＰ１０によって実行されない場合には、当該印刷出力物は、後処理機３０内の貯留部３５には貯留されずに排紙トレイ３１へと直ちに排出される。すなわち、上記各実施形態に係るＭＦＰ１０においては、ステープル処理の実行の有無に応じて貯留部３５による印刷出力物の貯留の有無が変更される。そのような事情を考慮し、上記各実施形態等では、当該印刷出力物を後処理機３０内の貯留部３５にて一旦貯留させるために、追加設定内容の自動設定処理（ステップＳ２１（図８））において、ステープル処理を実行すべき旨を示す設定内容Ｃ３０（図１０）が設定されている。
【０１７７】
しかしながら、本発明はこれに限定されない。たとえば、ＭＦＰ１０におけるステープル処理の実行の有無にかかわらず印刷出力部３からの印刷出力物が後処理機３０の貯留部３５内に常に一旦貯留される場合等には、設定内容Ｃ３０は設定されなくてもよい。
【符号の説明】
【０１７８】
１  印刷システム
１０  印刷出力装置（ＭＦＰ）
３０  後処理機
３５  貯留部
５０  印刷制御装置（コンピュータ）
２００  印刷設定画面
３００  一時停止通知画面
３５０  手差し確認画面
４００  キャンセル指示要求画面
【図１】
2020101971.tif 000003
【図２】
2020101971.tif 000004
【図３】
2020101971.tif 000005
【図４】
2020101971.tif 000006
【図５】
2020101971.tif 000007
【図６】
2020101971.tif 000008
【図７】
2020101971.tif 000009
【図８】
2020101971.tif 000010
【図９】
2020101971.tif 000011
【図１０】
2020101971.tif 000012
【図１１】
2020101971.tif 000013
【図１２】
2020101971.tif 000014
【図１３】
2020101971.tif 000015
【図１４】
2020101971.tif 000016
【図１５】
2020101971.tif 000017
【図１６】
2020101971.tif 000018